(57)【要約】【課題】操作者がタッチキーにタッチしたかどうかを確実に判断することができるようにする。【解決手段】操作パネル１４において、操作者がタッチすることによってキー電極Ｅｉの静電容量が大きくなるタッチキーｋｉと、操作者がタッチすることなく、ダミーキー電極Ｅｄの静電容量が大きくならないダミーキーｄｋと、キー電極Ｅｉ及びダミーキー電極Ｅｄの各静電容量を検出する静電容量検出部３５と、静電容量と第１、第２の閾値との比較結果に基づいて、寄生容量が大きくなってドリフトが発生したのか、又はキー電極Ｅｉの静電容量が大きくなったのかを判断する静電容量判定処理部Ｐｒ２とを有する。操作者による複数のタッチキーｋｉのタッチが無効にされない。【選択図】図１
2020123242.tif 000002
【特許請求の範囲】
【請求項１】
静電容量を利用した自己容量方式のタッチパネルから成る操作部を備えた操作パネルにおいて、
（ａ）操作部に表示され、操作者がタッチすることによって、対応するキー電極の静電容量が大きくなるタッチキーと、
（ｂ）操作部に表示されず、操作者がタッチすることなく、対応するダミーキー電極の静電容量が大きくならないダミーキーと、
（ｃ）前記キー電極及びダミーキー電極の各静電容量を検出する静電容量検出部と、
（ｄ）キー電極及びダミーキー電極の各静電容量と第１、第２の閾値とを比較し、比較結果に基づいて、キー電極及びダミーキー電極の静電容量である寄生容量が経時的に大きくなってドリフトが発生したのか、又は操作者が複数のタッチキーにタッチしたことによってキー電極の静電容量が大きくなったのかを判断する静電容量判定処理部とを有することを特徴とする操作パネル。
【請求項２】
（ａ）所定のタイミングで、前記静電容量検出部によって検出されたキー電極及びダミーキー電極の各寄生容量、並びにあらかじめ設定された基準値に基づいてオフセット補正値を算出するオフセット補正値算出処理部を有するとともに、
（ｂ）前記静電容量判定処理部は、前記静電容量検出部によって検出されたキー電極及びダミーキー電極の静電容量を前記オフセット補正値によって補正し、補正後の静電容量と前記第１、第２の閾値とを比較する請求項１に記載の操作パネル。
【請求項３】
前記静電容量判定処理部は、キー電極及びダミーキー電極の各電極のうちの複数の電極の補正後の静電容量が第１の閾値より大きく、かつ、ダミーキー電極の補正後の静電容量が第１の閾値より大きい場合に、キー電極及びダミーキー電極の静電容量である寄生容量が経時的に大きくなってドリフトが発生したと判断する請求項２に記載の操作パネル。
【請求項４】
前記静電容量判定処理部は、複数のキー電極の補正後の静電容量が第２の閾値より大きく、かつ、ダミーキー電極の補正後の静電容量が第１の閾値以下である場合に、操作者が複数のタッチキーにタッチしたことによってキー電極の静電容量が大きくなったと判断する請求項２又は３に記載の操作パネル。
【請求項５】
ドリフトが発生した場合に、前記オフセット補正値算出処理部に指示を送り、オフセット補正値を更新させるドリフト補正処理部を有する請求項１〜４のいずれか１項に記載の操作パネル。
【請求項６】
操作者が複数のタッチキーにタッチしたことによってキー電極の静電容量が大きくなった場合に、画像形成装置のモードを特殊モードに移行させる特殊モード移行処理部を有する請求項１〜５のいずれか１項に記載の操作パネル。
【請求項７】
前記請求項１〜６のいずれか１項に記載の操作パネルを有する画像形成装置。
【発明の詳細な説明】
【技術分野】
【０００１】
本発明は、操作パネル及び画像形成装置に関するものである。
【背景技術】
【０００２】
従来、プリンタ、複写機、ファクシミリ、複合機（ＭＦＰ：Ｍｕｌｔｉ  Ｆｕｎｃｔｉｏｎ  Ｐｒｉｎｔｅｒ）等の画像形成装置、例えば、複合機においては、操作者が複合機に指示を送ったり、複合機の状態を表示したりするために操作パネルが配設される。
【０００３】
ところで、静電容量を利用した自己容量方式のタッチパネルから成る操作部を備えた操作パネルにおいては、操作パネル基板上の各キー電極の静電容量が閾値を超えたかどうかによって、操作者がタッチキーにタッチしたかどうかが判断されるようになっている（例えば、特許文献１参照。）。
【先行技術文献】
【特許文献】
【０００４】
【特許文献１】特開２０１６−１６２０８２号公報
【発明の概要】
【発明が解決しようとする課題】
【０００５】
しかしながら、前記従来の操作パネルにおいては、キー電極の周辺の温度、湿度等の影響を受けやすく、静電容量が経時的に大きくなる、すなわち、ドリフトが発生することがあり、操作者がタッチキーにタッチしていないにもかかわらず、タッチしたと誤って判断されることがある。
【０００６】
そこで、前記操作パネルにおいては、各タッチキーにおける静電容量が監視され、複数のタッチキーにおける静電容量が大きくなった場合に、オフセット補正が行われ、ドリフトが発生したことによって大きくなった分をキャンセルすることによって、タッチキーにタッチしたと誤って判断されるのを防止するようにしている。
【０００７】
ところが、所定の数のタッチキーが同時にタッチされた場合に、複合機を通常のモードから特殊モードに移行させることができるようにした操作パネルにおいては、操作者が所定の数のタッチキーに同時にタッチしたときに、複数のタッチキーにおける静電容量がドリフトが発生したことによって大きくなったと判断されて、タッチキーのタッチが無効にされてしまう。
【０００８】
本発明は、前記従来の操作パネルの問題点を解決して、操作者がタッチキーにタッチしたかどうかを確実に判断することができる操作パネル及び画像形成装置を提供することを目的とする。
【課題を解決するための手段】
【０００９】
そのために、本発明の操作パネルにおいては、静電容量を利用した自己容量方式のタッチパネルから成る操作部を備えるようになっている。
【００１０】
そして、操作部に表示され、操作者がタッチすることによって、対応するキー電極の静電容量が大きくなるタッチキーと、操作部に表示されず、操作者がタッチすることなく、対応するダミーキー電極の静電容量が大きくならないダミーキーと、前記キー電極及びダミーキー電極の各静電容量を検出する静電容量検出部と、キー電極及びダミーキー電極の各静電容量と第１、第２の閾値とを比較し、比較結果に基づいて、キー電極及びダミーキー電極の静電容量である寄生容量が経時的に大きくなってドリフトが発生したのか、又は操作者が複数のタッチキーにタッチしたことによってキー電極の静電容量が大きくなったのかを判断する静電容量判定処理部とを有する。
【発明の効果】
【００１１】
本発明によれば、操作パネルにおいては、静電容量を利用した自己容量方式のタッチパネルから成る操作部を備えるようになっている。
【００１２】
そして、操作部に表示され、操作者がタッチすることによって、対応するキー電極の静電容量が大きくなるタッチキーと、操作部に表示されず、操作者がタッチすることなく、対応するダミーキー電極の静電容量が大きくならないダミーキーと、前記キー電極及びダミーキー電極の各静電容量を検出する静電容量検出部と、キー電極及びダミーキー電極の各静電容量と第１、第２の閾値とを比較し、比較結果に基づいて、キー電極及びダミーキー電極の静電容量である寄生容量が経時的に大きくなってドリフトが発生したのか、又は操作者が複数のタッチキーにタッチしたことによってキー電極の静電容量が大きくなったのかを判断する静電容量判定処理部とを有する。
【００１３】
この場合、静電容量判定処理部によって、キー電極及びダミーキー電極の静電容量と第１、第２の閾値とが比較され、比較結果に基づいて、キー電極及びダミーキー電極の静電容量である寄生容量が経時的に大きくなってドリフトが発生したのか、又は操作者が複数のタッチキーにタッチしたことによってキー電極の静電容量が大きくなったのかが判断されるので、キー電極の静電容量だけが大きくなり、ダミーキー電極の静電容量が大きくならなかった場合、ドリフトが発生していないにもかかわらず、ドリフトが発生したと誤って判断されるのを防止することができる。したがって、操作者による複数のタッチキーのタッチが無効にされることがない。
【００１４】
また、キー電極の静電容量だけでなく、ダミーキー電極の静電容量も大きくなった場合に、ドリフトが発生したことによって大きくなった分をキャンセルすることができるので、タッチキーにタッチしていないにもかかわらず、タッチしたと誤って判断されるのを防止することができる。
【００１５】
その結果、操作者がタッチキーにタッチしたかどうかを確実に判断することができる。
【図面の簡単な説明】
【００１６】
【図１】本発明の実施の形態における操作パネルの制御ブロック図である。
【図２】本発明の実施の形態における複合機の斜視図である。
【図３】本発明の実施の形態における操作パネルの平面図である。
【図４】本発明の実施の形態における操作パネルの概念図である。
【図５】本発明の実施の形態におけるタッチキーの動作を説明するための第１の図である。
【図６】本発明の実施の形態におけるタッチキーの動作を説明するための第２の図である。
【図７】本発明の実施の形態における静電容量検出部の制御ブロック図である。
【図８】本発明の実施の形態における充放電回路の動作を説明するための第１の図である。
【図９】本発明の実施の形態における充放電回路の動作を説明するための第２の図である。
【図１０】本発明の実施の形態における静電容量検出部の動作を説明するためのタイムチャートである。
【図１１】本発明の実施の形態におけるオフセット補正値算出処理部の動作を説明するための第１の図である。
【図１２】本発明の実施の形態におけるオフセット補正値算出処理部の動作を説明するための第２の図である。
【図１３】本発明の実施の形態におけるオフセット補正値算出処理部の動作を説明するための第３の図である。
【図１４】本発明の実施の形態における静電容量判定処理部の動作を説明するための第１の図である。
【図１５】本発明の実施の形態における静電容量判定処理部の動作を説明するための第２の図である。
【図１６】本発明の実施の形態における制御部の動作を示すフローチャートである。
【発明を実施するための形態】
【００１７】
以下、本発明の実施の形態について図面を参照しながら詳細に説明する。この場合、画像形成装置としての複合機について説明する。
【００１８】
図２は本発明の実施の形態における複合機の斜視図、図３は本発明の実施の形態における操作パネルの平面図である。
【００１９】
図において、１０は複合機であり、該複合機１０は、原稿の画像を読み取るスキャナ部１１、及び該スキャナ部１１の下方に配設され、スキャナ部１１によって読み取られた画像のデータ、すなわち、読取データ、上位装置としての図示されないホストコンピュータから送られた印刷データ等に基づいて、媒体としての図示されない用紙に画像を形成するプリンタ部１２を備える。
【００２０】
また、１４は、前記スキャナ部１１に配設され、操作者が複合機１０に指示を送ったり、複合機１０の状態を表示したりするための操作パネル、１５は用紙を収容する媒体収容部としての用紙カセットである。
【００２１】
操作パネル１４は、液晶画面（ＬＣＤ：Ｌｉｑｕｉｄ  Ｃｒｙｓｔａ１  Ｄｉｓｐｌａｙ）等から成る表示部１６、及び静電容量を利用した自己容量方式のタッチパネルから成る操作部１７を備え、該操作部１７に処理キー領域Ａｒ１及びテンキー領域Ａｒ２が形成される。
【００２２】
そして、前記操作部１７はタッチキーｋｉ（ｉ＝１、２、…、１６）及びダミーキーｄｋを備える。
【００２３】
前記タッチキーｋｉのうちの、処理キー領域Ａｒ１に配設されたタッチキーｋ１〜ｋ４は、操作者がタッチすることによって表示部１６における表示を変更するためのものであり、操作部１７のカバー部２１に、各タッチキーｋ１〜ｋ４を識別するための「ＢＡＣＫ」、「↑」、「ＥＮＴＥＲ」、「↓」の文字が表示され、前記タッチキーｋｉのうちの、テンキー領域Ａｒ２に配設されたタッチキーｋ５〜ｋ１６は、操作者がタッチすることによって文字、数字、記号を入力するためのものであり、前記カバー部２１に、各タッチキーｋ５〜ｋ１６を識別するための「１」、「２」、「３」、「４」、「５」、「６」、「７」、「８」、「９」、「＊」、「０」、「＃」の文字が表示される。
【００２４】
また、ダミーキーｄｋは、操作者がタッチすることによって表示部１６における表示を変更したり、文字を入力したりするためのものではなく、操作者がタッチすることがないように、カバー部２１にダミーキーｄｋを識別するための文字は表示されない。
【００２５】
ところで、本実施の形態においては、複合機１０を、通常のモードから特殊モードに移行させることができるようになっている。特殊モードにおいては、操作者の通常の操作では表示されない操作メニューが表示部１６に表示されるので、操作者は、複合機１０の内部情報を表示させたり、通常の操作では必要のない複合機１０の内部設定等を行ったりすることができる。通常のモードから特殊モードに移行させるためには、操作者は、操作部１７を通常とは異なる特殊モード用の方法で操作する必要があり、本実施の形態においては、タッチキーｋ１〜ｋ４に同時にタッチすることによって、特殊モードに移行させることができる。
【００２６】
図４は本発明の実施の形態における操作パネルの概念図である。
【００２７】
図において、１４は操作パネル、２１はカバー部、３１は操作パネル基板である。
【００２８】
該操作パネル基板３１上に、各タッチキーｋｉと対向させて配設された複数のキー電極Ｅｉ（ｉ＝１、２、…、１６）から成る電極パターンが形成され、各キー電極Ｅｉ上に、誘電体から成る導光板Ｌｉ（ｉ＝１、２、…、１６）が貼着される。そして、導光板Ｌｉ上に前記カバー部２１が貼着される。
【００２９】
また、前記操作パネル基板３１上には、前記各キー電極Ｅｉ及び導光板Ｌｉに隣接させて発光体としてのＬＥＤ（Ｌｉｇｈｔ  Ｅｍｉｔｔｉｎｇ  Ｄｉｏｄｅ）ｉ（ｉ＝１、２、…、１６）ｉが配設され、ＬＥＤｉから導光板Ｌｉの側面に向けて光が照射される。
【００３０】
前記カバー部２１におけるタッチキーｋｉが形成される箇所は透明にされ、前記ＬＥＤｉが点灯し、導光板Ｌｉの側面に光が照射されると、操作者は各タッチキーｋｉに表示された文字を視認することができる。
【００３１】
また、前記操作パネル基板３１上には、ダミーキーｄｋと対向させてダミーキー電極Ｅｄが配設される。該ダミーキー電極Ｅｄ上には導光板が貼着されず、ダミーキー電極Ｅｄとカバー部２１との間に空気層Ｓｐが形成される。
【００３２】
そして、操作者が各タッチキーｋｉにタッチすると、対応するキー電極Ｅｉの静電容量Ｃが大きくなる。なお、ダミーキーｄｋは操作パネル１４上に表示されないので、操作者がダミーキーｄｋにタッチすることによってダミーキー電極Ｅｄの静電容量が大きくなることはない。
【００３３】
次に、前記操作パネル１４の制御装置について説明する。
【００３４】
図１は本発明の実施の形態における操作パネルの制御ブロック図、図５は本発明の実施の形態におけるタッチキーの動作を説明するための第１の図、図６は本発明の実施の形態におけるタッチキーの動作を説明するための第２の図、図７は本発明の実施の形態における静電容量検出部の制御ブロック図、図８は本発明の実施の形態における充放電回路の動作を説明するための第１の図、図９は本発明の実施の形態における充放電回路の動作を説明するための第２の図、図１０は本発明の実施の形態における静電容量検出部の動作を説明するためのタイムチャート、図１１は本発明の実施の形態におけるオフセット補正値算出処理部の動作を説明するための第１の図、図１２は本発明の実施の形態におけるオフセット補正値算出処理部の動作を説明するための第２の図、図１３は本発明の実施の形態におけるオフセット補正値算出処理部の動作を説明するための第３の図、図１４は本発明の実施の形態における静電容量判定処理部の動作を説明するための第１の図、図１５は本発明の実施の形態における静電容量判定処理部の動作を説明するための第２の図である。なお、説明の便宜上、図１１〜１３においては、キー電極Ｅｉのうちのキー電極Ｅ１〜Ｅ４及びダミーキー電極Ｅｄのオフセット補正値算出処理について、図１４及び１５においては、キー電極Ｅｉのうちのキー電極Ｅ１〜Ｅ４及びダミーキー電極Ｅｄの静電容量判定処理について説明する。
【００３５】
図において、１４は操作パネル、ｋｉはタッチキー、ｄｋはダミーキー、Ｅｉはキー電極、Ｅｄはダミーキー電極、１６は表示部、３５は各キー電極Ｅｉ及びダミーキー電極Ｅｄの各静電容量Ｃを検出する静電容量検出部、４０はＣＰＵから成る制御部、４１は記憶装置としてのメモリである。
【００３６】
本実施の形態においては、操作パネル１４の操作部１７がタッチパネルから成るので、操作者がタッチキーｋｉにタッチしていない状態で、図５に示されるように、キー電極Ｅｉとグラウンド（ＧＮＤ）との間に、寄生容量（Ｐａｒａｓｉｔｉｃ  Ｃａｐａｃｉｔａｎｃｅ）Ｃｐと等しい静電容量Ｃ
Ｃ＝Ｃｐ
が発生する。そして、操作者がタッチキーｋｉにタッチすると、キー電極Ｅｉが導体である人体を介してグラウンドと接続されるので、図６に示されるように、キー電極Ｅｉと指（人体）との間に静電容量（Ｆｉｎｇｅｒ  Ｃａｐａｃｉｔａｎｃｅ）Ｃｆが新たに発生し、したがって、キー電極Ｅｉとグラウンドとの間に、寄生容量Ｃｐと静電容量Ｃｆとの合計の静電容量Ｃ
Ｃ＝Ｃｐ＋Ｃｆ
が発生する。
【００３７】
なお、操作者はダミーキーｄｋにタッチすることはないので、ダミーキー電極Ｅｄとグラウンドとの間には、寄生容量Ｃｐと等しい静電容量Ｃ
Ｃ＝Ｃｐ
が発生する。
【００３８】
前記静電容量検出部３５は、各キー電極Ｅｉ及びダミーキー電極Ｅｄと接続され、各キー電極Ｅｉ及びダミーキー電極Ｅｄの静電容量Ｃを検出する。
【００３９】
そのために、前記静電容量検出部３５は、充放電回路４３、電源・平滑回路４４、電流発振器４５及びカウンタ４６を備える。
【００４０】
前記充放電回路４３は、図８及び９に示されるように、電源Ｖｃｃとグラウンドとを接続するスイッチＳＷ１、ＳＷ２、及びスイッチＳＷ１とスイッチＳＷ２との接点に配設されたキー電極Ｅｉを備え、キー電極Ｅｉとグラウンドとの間に静電容量Ｃのコンデンサが形成される。図示されない信号発生器によって発生させられた制御信号ＳＧに基づいてスイッチＳＷ１、ＳＷ２を交互にオン・オフさせると、コンデンサにおいて充電と放電とが繰り返され、図１０の（ａ）に示されるような、静電容量Ｃに比例する振幅を有する交流の電流ｉａが発生させられ、該電流ｉａは、電源・平滑回路４４に送られ、平滑化され、図１０の（ｂ）に示されるような直流の電流ｉｂが発生させられる。
【００４１】
そして、該電流ｉｂは、電流発振器４５に送られ、該電流発振器４５において、図１０の（ｃ）に示されるような、電流値に比例する発振周波数を有する電圧ｖに変換され、該電圧ｖの一定時間τのパルスがカウンタ４６に送られ、カウンタ４６はパルスを計数し、図１０の（ｄ）に示されるようなカウント値ｎｃを生成する。
【００４２】
このようにして生成されたカウント値ｎｃに基づいて、静電容量検出部３５は各キー電極Ｅｉの静電容量Ｃを検出する。
【００４３】
そして、前記制御部４０は、静電容量検出部３５が検出した各キー電極Ｅｉの静電容量Ｃを読み込み、操作者がタッチキーｋｉにタッチしたのか、又は操作パネル１４にドリフトが発生したのかを判断する。
【００４４】
そのために、制御部４０は、オフセット補正値算出処理部Ｐｒ１、静電容量判定処理部Ｐｒ２、ドリフト補正処理部Ｐｒ３及び特殊モード移行処理部Ｐｒ４を備える。
【００４５】
ところで、前記各キー電極Ｅｉ及びダミーキー電極Ｅｄは、電極自体のサイズ、配線等の影響を受けやすく、互いに寄生容量Ｃｐが異なり、各キー電極Ｅｉ及びダミーキー電極Ｅｄの寄生容量Ｃｐで表される静電容量Ｃにはばらつきがある。したがって、一意の閾値によって静電容量Ｃの大小を判断することはできない。
【００４６】
そこで、本実施の形態においては、前記オフセット補正値算出処理部Ｐｒ１が、オフセット補正値算出処理を行い、タッチされていない状態の各キー電極Ｅｉ及びダミーキー電極Ｅｄの静電容量Ｃ、すなわち、寄生容量Ｃｐのばらつきをなくすようになっている。
【００４７】
そのために、オフセット補正値算出処理部Ｐｒ１は、複合機１０の電源を投入したとき、及びその後の一定の周期ごとに設定された所定のタイミングである補正値算出タイミングｔで、操作者がタッチキーｋｉにタッチしていない状態で、静電容量検出部３５から各キー電極Ｅｉ及びダミーキー電極Ｅｄの寄生容量Ｃｐを、補正値算出用の静電容量Ｃｔとして読み込む。
【００４８】
このとき、図１１に示されるように、各静電容量Ｃｔは各キー電極Ｅｉ及びダミーキー電極Ｅｄごとに異なるので、オフセット補正値算出処理部Ｐｒ１は、メモリ４１からあらかじめ設定された静電容量Ｃの基準値Ｃｓを読み出し、オフセット補正値ΔＣ
ΔＣ＝Ｃｓ−Ｃｔ
を算出し、メモリ４１に記録する。図１２に示されるように、オフセット補正値ΔＣは、基準値Ｃｓを表す線より下及び上に形成されたハッチングが付された領域で表され、前記オフセット補正値ΔＣは、基準値Ｃｓが静電容量Ｃｔより大きい場合、正の値を採り、基準値Ｃｓが静電容量Ｃｔと等しい場合、０の値を採り、基準値Ｃｓが静電容量Ｃｔより小さい場合、負の値を採る。
【００４９】
なお、前記基準値Ｃｓは、各キー電極Ｅｉ及びダミーキー電極Ｅｄの静電容量Ｃの平均値程度に設定される。
【００５０】
そして、操作者によってタッチキーｋｉがタッチされると、静電容量判定処理部Ｐｒ２は、静電容量判定処理を行い、静電容量検出部３５によって検出された各キー電極Ｅｉ及びダミーキー電極Ｅｄの静電容量Ｃを読み込むとともに、メモリ４１からオフセット補正値ΔＣを読み出し、オフセット補正値ΔＣによって、各キー電極Ｅｉ及びダミーキー電極Ｅｄの静電容量Ｃを補正する。
【００５１】
そのために、前記静電容量判定処理部Ｐｒ２は、静電容量検出部３５によって検出された各キー電極Ｅｉ及びダミーキー電極Ｅｄの静電容量Ｃにオフセット補正値ΔＣを加算する。
【００５２】
すなわち、静電容量判定処理部Ｐｒ２は、静電容量Ｃｔが基準値Ｃｓより小さいキー電極Ｅｉ及びダミーキー電極Ｅｄについては、静電容量検出部３５によって検出された静電容量Ｃに差分を加算し、静電容量Ｃｔが基準値Ｃｓより大きいキー電極Ｅｉ及びダミーキー電極Ｅｄについては、静電容量検出部３５によって検出された静電容量Ｃから差分を減算することによって、図１３に示されるように、静電容量Ｃｔを基準値Ｃｓに揃える。
【００５３】
ところで、キー電極Ｅｉ及びダミーキー電極Ｅｄにおいては、周辺の温度、湿度等の影響を受けて寄生容量Ｃｐが経時的に大きくなり、ドリフトが発生する。
【００５４】
そこで、前記静電容量判定処理部Ｐｒ２は、メモリ４１からドリフト判定用の第１の閾値ε１及びタッチ判定用の第２の閾値ε２を読み出し、キー電極Ｅｉ及びダミーキー電極Ｅｄの各電極の補正後の静電容量Ｃｈと第１、第２の閾値ε１、ε２とを比較し、比較結果に基づいて、キー電極Ｅｉ及びダミーキー電極Ｅｄの静電容量Ｃｈである寄生容量Ｃｐが経時的に大きくなってドリフトが発生したのか、又は操作者が複数のタッチキーｋｉにタッチしたことによってキー電極Ｅｉの静電容量Ｃｈが大きくなったのかを判断する。
【００５５】
すなわち、静電容量判定処理部Ｐｒ２は、図１４に示されるように、キー電極Ｅｉ及びダミーキー電極Ｅｄの各電極のうちの複数の電極、本実施の形態においては、３個以上の電極の静電容量Ｃｈが第１の閾値ε１より大きくなると、ドリフトが発生したと判断する。
【００５６】
また、前記静電容量判定処理部Ｐｒ２は、図１５に示されるように、キー電極Ｅｉのうちの複数の電極、本実施の形態においては、４個の電極Ｅ１〜Ｅ４の静電容量Ｃｈが第２の閾値ε２より大きくなると、操作者が複数のタッチキーｋｉ、本実施の形態においては、タッチキーｋ１〜ｋ４にタッチしたと判断する。
【００５７】
ところが、図１４に示されるように、キー電極Ｅｉ及びダミーキー電極Ｅｄの各電極のうちの３個以上の電極の静電容量Ｃｈが第１の閾値ε１より大きくなると、ドリフトが発生したと判断されるので、複合機１０を通常のモードから特殊モードに移行させるために操作者がタッチキーｋ１〜ｋ４に同時にタッチした場合においても、ドリフトが発生したと判断されてしまう。その場合、オフセット補正値ΔＣによって静電容量Ｃｈが補正されると、操作者によるタッチキーｋ１〜ｋ４の同時のタッチが無効にされてしまう。
【００５８】
そこで、本実施の形態においては、ドリフトが発生した場合、ダミーキー電極Ｅｄの静電容量Ｃｈも第１の閾値ε１より大きくなるのに対して、操作者がタッチキーｋ１〜ｋ４に同時にタッチした場合、各キー電極Ｅ１〜Ｅ４の静電容量Ｃｈだけが第２の閾値ε２より大きくなり、ダミーキー電極Ｅｄの静電容量Ｃｈは第１の閾値ε１以下の値になることから、前記静電容量判定処理部Ｐｒ２は、３個以上の電極の静電容量Ｃｈが第１の閾値ε１より大きくなっても、ダミーキー電極Ｅｄの静電容量Ｃｈが第１の閾値ε１より大きくならない限り、ドリフトが発生したと判断しない。
【００５９】
すなわち、前記静電容量判定処理部Ｐｒ２は、キー電極Ｅｉ及びダミーキー電極Ｅｄの各電極のうちの複数の電極の補正後の静電容量Ｃｈが第１の閾値ε１より大きく、かつ、ダミーキー電極Ｅｄの補正後の静電容量Ｃｈが第１の閾値ε１より大きい場合に、ドリフトが発生したと判断する。
【００６０】
また、前記静電容量判定処理部Ｐｒ２は、複数のキー電極ｋｉの補正後の静電容量Ｃｈが第２の閾値ε２より大きく、かつ、ダミーキー電極ｄｋの補正後の静電容量Ｃｈが第１の閾値ε１以下である場合に、操作者が複数のタッチキーｋｉにタッチしたと判断する。
【００６１】
前記ドリフト補正処理部Ｐｒ３は、ドリフト補正処理を行い、操作パネル１４にドリフトが発生した場合に、オフセット補正値算出処理部Ｐｒ１に指示を送り、オフセット補正値ΔＣを算出させ、オフセット補正値ΔＣを更新させる。
【００６２】
前記特殊モード移行処理部Ｐｒ４は、特殊モード移行処理を行い、複数のタッチキー、本実施の形態においては、４個のタッチキーｋ１〜ｋ４が同時にタッチされると、複合機１０のモードを特殊モードに移行させる。
【００６３】
次に、前記制御部４０の動作について説明する。
【００６４】
図１６は本発明の実施の形態における制御部の動作を示すフローチャートである。
【００６５】
まず、静電容量判定処理部Ｐｒ２は、各キー電極Ｅｉ及びダミーキー電極Ｅｄの静電容量Ｃを静電容量検出部３５から読み込むとともに、メモリ４１からオフセット補正値ΔＣを読み出し、各静電容量Ｃにオフセット補正値ΔＣを加算することによって、静電容量Ｃを補正する。
【００６６】
次に、静電容量判定処理部Ｐｒ２は、各キー電極Ｅｉ及びダミーキー電極Ｅｄのうちの複数の電極の補正後の静電容量Ｃｈが第１の閾値ε１より大きいかどうかを判断する。
【００６７】
静電容量判定処理部Ｐｒ２は、各キー電極Ｅｉ及びダミーキー電極Ｅｄのうちの複数の電極の補正後の静電容量Ｃｈが第１の閾値ε１以下である場合、処理を終了し、図１４に示されるように、複数の電極の補正後の静電容量Ｃｈが第１の閾値ε１より大きい場合、補正後の静電容量Ｃｈが第１の閾値ε１より大きいキー電極の数を判定電極数Ｎとして計数し、メモリ４１に記録する。
【００６８】
続いて、静電容量判定処理部Ｐｒ２は、メモリ４１に記録された判定電極数Ｎがドリフト補正判定用の閾値Ｎｔｈ１、本実施の形態においては、３以上であるかどうかによって、第１のドリフト発生条件が成立するかどうかを判断する。
【００６９】
図１４に示されるように、判定電極数Ｎが３以上であり、第１のドリフト発生条件が成立する場合、前記静電容量判定処理部Ｐｒ２は、メモリ４１から第１の閾値ε１を読み出し、ダミーキー電極Ｅｄの補正後の静電容量Ｃｈが第１の閾値ε１より大きいかどうかによって、第２のドリフト発生条件が成立するかどうかを判断する。
【００７０】
図１４に示されるように、ダミーキー電極Ｅｄの補正後の静電容量Ｃｈが第１の閾値ε１より大きく、第２のドリフト発生条件が成立する場合、ドリフト補正処理部Ｐｒ３は、ドリフトが発生したと判断し、ドリフト補正処理を行う。
【００７１】
該ドリフト補正処理において、前記ドリフト補正処理部Ｐｒ３は、オフセット補正値算出処理部Ｐｒ１に、オフセット補正値ΔＣを算出するよう指示する。これにより、前記オフセット補正値算出処理部Ｐｒ１は、静電容量検出部３５からすべてのキー電極Ｅｉ及びダミーキー電極Ｅｄの寄生容量Ｃｐを静電容量Ｃｔとして読み込み、基準値Ｃｓから静電容量Ｃｔを減算してオフセット補正値ΔＣを算出し、メモリ４１に記録して更新する。
【００７２】
なお、前記ドリフト補正判定用の閾値Ｎｔｈ１が３より大きく設定されていると、ドリフトが発生したかどうかを判断するための処理量が多くなるので、本実施の形態においては、３に設定した。
【００７３】
一方、判定電極数Ｎが３より小さく、第１のドリフト発生条件が成立しない場合、及びダミーキー電極Ｅｄの補正後の静電容量Ｃｈが第１の閾値ε１以下であり、第２のドリフト発生条件が成立しない場合、静電容量判定処理部Ｐｒ２は、補正後の静電容量Ｃｈが第２の閾値ε２より大きいキー電極の数が１であるかどうかを判断する。
【００７４】
そして、補正後の静電容量Ｃｈが第２の閾値ε２より大きいキー電極の数が１である場合、静電容量判定処理部Ｐｒ２は、単一のタッチキーｋｉがタッチされたと判断する。
【００７５】
また、補正後の静電容量Ｃｈが第２の閾値ε２より大きいキー電極の数が１でない場合、静電容量判定処理部Ｐｒ２は、特定のタッチキーｋｉのキー電極、本実施の形態においては、キー電極Ｅ１〜Ｅ４の補正後の静電容量Ｃｈが第２の閾値ε２より大きいかどうかを判断し、図１５に示されるように、キー電極Ｅ１〜Ｅ４の補正後の静電容量Ｃｈが第２の閾値ε２より大きい場合、操作者がタッチキーｋ１〜ｋ４にタッチしたと判断し、特殊モード移行処理部Ｐｒ４は、特殊モード移行処理を行い、複合機１０のモードを特殊モードに移行させる。
【００７６】
次に、フローチャートについて説明する。
ステップＳ１  静電容量判定処理部Ｐｒ２は各キー電極Ｅｉ及びダミーキー電極Ｅｄの静電容量Ｃを読み込む。
ステップＳ２  静電容量判定処理部Ｐｒ２はオフセット補正値ΔＣによって静電容量Ｃを補正する。
ステップＳ３  静電容量判定処理部Ｐｒ２は複数のキー電極の補正後の静電容量Ｃｈが第１の閾値ε１より大きいかどうかを判断する。複数のキー電極の補正後の静電容量Ｃｈが第１の閾値ε１より大きい場合はステップＳ４に進み、複数のキー電極の補正後の静電容量Ｃｈが第１の閾値ε１以下である場合は処理を終了する。
ステップＳ４  静電容量判定処理部Ｐｒ２は判定電極数Ｎをメモリ４１に記録する。
ステップＳ５  静電容量判定処理部Ｐｒ２は判定電極数Ｎが３以上であるかどうかを判断する。判定電極数Ｎが３以上である場合はステップＳ６に進み、判定電極数Ｎが３より小さい場合はステップＳ８に進む。
ステップＳ６  静電容量判定処理部Ｐｒ２はダミーキー電極Ｅｄの補正後の静電容量Ｃｈが第１の閾値ε１より大きいかどうかを判断する。ダミーキー電極Ｅｄの補正後の静電容量Ｃｈが第１の閾値ε１より大きい場合はステップＳ７に進み、ダミーキー電極Ｅｄの補正後の静電容量Ｃｈが第１の閾値ε１以下である場合はステップＳ８に進む。
ステップＳ７  ドリフト補正処理部Ｐｒ３はドリフト補正処理を行い、リターンする。
ステップＳ８  静電容量判定処理部Ｐｒ２は補正後の静電容量Ｃｈが第２の閾値ε２より大きいキー電極の数が１であるかどうかを判断する。補正後の静電容量Ｃｈが第２の閾値ε２より大きいキー電極の数が１である場合はステップＳ１０に進み、補正後の静電容量Ｃｈが第２の閾値ε２より大きいキー電極の数が１でない場合はステップＳ９に進む。
ステップＳ９  静電容量判定処理部Ｐｒ２は特定のタッチキーのキー電極Ｅ１〜Ｅ４の静電容量Ｃｈが第２の閾値ε２より大きいかどうかを判断する。特定のタッチキーのキー電極Ｅ１〜Ｅ４の静電容量Ｃｈが第２の閾値ε２より大きい場合はステップＳ１１に進み、特定のタッチキーのキー電極Ｅ１〜Ｅ４の静電容量Ｃｈが第２の閾値ε２以下である場合はリターンする。
ステップＳ１０  静電容量判定処理部Ｐｒ２は単一のタッチキーｋｉがタッチされたと判断し、リターンする。
ステップＳ１１  特殊モード移行処理部Ｐｒ４は特殊モード移行処理を行い、処理を終了する。
【００７７】
このように、本実施の形態においては、キー電極Ｅｉ及びダミーキー電極Ｅｄの静電容量Ｃｈと第１、第２の閾値ε１、ε２とが比較され、比較結果に基づいて、キー電極Ｅｉ及びダミーキー電極Ｅｄの静電容量Ｃｈである寄生容量Ｃｐが経時的に大きくなってドリフトが発生したのか、又は操作者が複数のタッチキーｋｉにタッチしたことによってキー電極Ｅｉの静電容量Ｃｈが大きくなったのかが判断されるので、キー電極Ｅｉの静電容量Ｃｈだけが大きくなり、ダミーキー電極Ｅｄの静電容量Ｃｈが大きくならなかった場合に、ドリフトが発生していないにもかかわらず、ドリフトが発生したと誤って判断されるのを防止することができる。したがって、操作者による複数のタッチキーｋｉのタッチが無効にされることがない。
【００７８】
また、キー電極Ｅｉの静電容量Ｃｈだけでなく、ダミーキー電極Ｅｄの静電容量Ｃｈも大きくなった場合に、ドリフトが発生したことによって大きくなった分をキャンセルすることができるので、操作者がタッチキーｋｉにタッチしていないにもかかわらず、タッチしたと誤って判断されるのを防止することができる。
【００７９】
その結果、操作者がタッチキーｋｉにタッチしたかどうかを確実に判断することができる。
【００８０】
前記実施の形態においては、複合機１０について説明したが、本発明をプリンタ、複写機、ファクシミリ等の画像形成装置に適用することができる。
【００８１】
なお、本発明は前記実施の形態に限定されるものではなく、本発明の趣旨に基づいて種々変形させることが可能であり、それらを本発明の範囲から排除するものではない。
【符号の説明】
【００８２】
１４    操作パネル
１７    操作部
３５    静電容量検出部
Ｃ    静電容量
Ｃｐ    寄生容量
ｄｋ    ダミーキー
Ｅｄ    ダミーキー電極
Ｅｉ    キー電極
ｋｉ    タッチキー
Ｐｒ２    静電容量判定処理部
ε１、ε２    第１、第２の閾値
【図１】
2020123242.tif 000003
【図２】
2020123242.tif 000004
【図３】
2020123242.tif 000005
【図４】
2020123242.tif 000006
【図５】
2020123242.tif 000007
【図６】
2020123242.tif 000008
【図７】
2020123242.tif 000009
【図８】
2020123242.tif 000010
【図９】
2020123242.tif 000011
【図１０】
2020123242.tif 000012
【図１１】
2020123242.tif 000013
【図１２】
2020123242.tif 000014
【図１３】
2020123242.tif 000015
【図１４】
2020123242.tif 000016
【図１５】
2020123242.tif 000017
【図１６】
2020123242.tif 000018